(57)【要約】【課題】簡単な構造で箒を収納し且つ収納時の床面積が小さくなるようにすること。【解決手段】この掃除具１００では、本体３の下部にモップ５を取り付け、箒の柄５１の付け根に固定部のバンド部分を巻き付けて箒に対して箒立て２を固定する。続いて、箒の穂５２を本体３で包み、本体３の左右両側端縁に設けた面ファスナーにより当該本体３の左右両側端縁の重なった部分同士を止める。この状態で箒の穂５２が本体３に包まれて内部に収納され、且つ、下側にモップ５が略環状に出た状態になる。モップ５の最下端は略直線状であるため、その最下端が環状となることで、当該箒立て２が自立可能となる。これにより、簡単な構造で箒を収納でき、収納時の床面積を小さくできる。【選択図】図１
2011250907.tif 000002
【特許請求の範囲】
【請求項１】
可撓性の平面状の素材からなる本体を有し、
当該本体は、その下側縁が略直線状であり、当該本体の左側部分と右側部分に互いを係止する係止手段を有すると共に上側に箒に対して本体を係止する固定部を設けたことを特徴とする掃除具。
【請求項２】
更に、本体の下側にモップを設けたことを特徴とする請求項１に記載の掃除具。
【請求項３】
更に、柄の付け根から穂の先までの寸法が、前記本体の高さよりも小さい箒を含むことを特徴とする請求項１又は２に記載の掃除具。
【発明の詳細な説明】
【技術分野】
【０００１】
本発明は、箒と箒を収納すると共にこれを自立可能とする掃除具に関するものである。
【背景技術】
【０００２】
従来から箒を収納する器具として、下記特許文献１に記載のものが知られている。この特許文献１の箒付きちり取りは、ちり取りの上部に箒を収納する空間を形成し、この空間に箒を収納した構造である。しかしながら、このような構造の箒付きちり取りは構造が複雑であり、収納するにあたってある程度の床面積が必要になるという問題点があった。
【先行技術文献】
【特許文献】
【０００３】
【特許文献１】実願２００６−８９５０号公報
【発明の概要】
【発明が解決しようとする課題】
【０００４】
解決しようとする問題点は、簡単な構造で箒を収納し且つ収納時の床面積が小さくなるようにする点である。
【課題を解決するための手段】
【０００５】
本発明の掃除具は、可撓性の平面状の素材からなる本体を有し、当該本体は、その下側縁が略直線状であり、当該本体の左側部分と右側部分に互いを係止する係止手段を有すると共に上側に箒に対して本体を係止する固定部を設けたことを特徴とする。
【０００６】
また、本発明の掃除具は、上記発明において、更に、本体の下側にモップを設けたことを特徴とする。更に、柄の付け根から穂の先までの寸法が、前記本体の高さよりも小さい箒を含むことを特徴とする。
【図面の簡単な説明】
【０００７】
【図１】この発明の実施の形態１にかかる掃除具を示す説明図である。
【図２】図１に示した掃除具の使用状態を示す正面図である。
【図３】図１に示した掃除具の使用状態を示す背面図である。
【図４】図１の掃除具の箒立てを示す正面図である。
【図５】図１の掃除具の箒立てを示す背面図である。
【図６】図１の掃除具の箒立てを示す上面図である。
【図７】図１の掃除具の箒立てを示す底面図である。
【図８】図１の掃除具の箒立てを示す右側面図である。
【図９】図１の掃除具の箒立てを示す左側面図である。
【図１０】図１に示す箒立ての分解正面図である。
【図１１】モップを示す斜視図である。
【図１２】モップを取り外した状態の箒立ての本体を示す正面図である。
【図１３】モップを取り外した状態の箒立ての本体を示す背面図である。
【図１４】モップを取り外した状態の箒立ての本体を示す上面図である。
【図１５】モップを取り外した状態の箒立ての本体を示す背面図である。
【図１６】モップを取り外した状態の箒立ての本体を示す右側面図である。
【図１７】モップを取り外した状態の箒立ての本体を示す左側面図である。
【図１８】モップを示す正面図である。
【図１９】モップを示す背面図である。
【図２０】掃除具の使用状態を示す説明図である。
【図２１】掃除具の使用状態を示す説明図である。
【図２２】この発明の別の実施の形態にかかる掃除具を示す説明図である。
【図２３】図２２に示した掃除具の使用状態を示す正面図である。
【図２４】図２２に示した掃除具の使用状態を示す背面図である。
【図２５】図２２に示した掃除具の使用状態を示す側面図である。
【図２６】図２２に示した掃除具の使用状態を示す説明図である。
【発明を実施するための形態】
【０００８】
図１は、この発明の実施の形態１にかかる掃除具を示す説明図である。図２は図１に示した掃除具の使用状態を示す正面図、図３はその背面図である。図４は、図１の掃除具のうち箒立てを示す正面図、図５はその背面図、図６は上面図、図７は底面図、図８は右側面図、図９は左側面図を示す。また、図１０は、図１に示す箒立ての分解正面図である。図１１は、モップを示す斜視図である。なお、図１２はモップを取り外した状態の箒立ての本体を示す正面図、図１３はその背面図、図１４は上面図、図１５は背面図、図１６は右側面図、図１７は左側面図を示す。図１８は、モップを示す正面図、図１９はその背面図である。
【０００９】
この発明に係る物品は、箒１の先に箒立て２を取り付けることができる掃除具１００であり、又は、モップ５を箒立て２の本体３の下に設けてそれ自体で掃除具１００となる箒立て２である。
【００１０】
この発明に係る物品の説明は、以下の通りである。
【００１１】
この掃除具１００は、箒１とその箒立て２とからなる。箒１は手箒又は長箒であり、穂５２はポリプロピレン等のプラスチック素材又は草等の自然素材からなる。箒立て２は、平面状であって釣鐘形状の本体３と、当該本体３の上部に一体成形したベルト状の固定部６と、左側部分及び右側部分に設けた係止手段としての面ファスナー７と、本体３の右又は左の端縁から突設した取手部４と、本体３の下部に着脱自在に設けられたモップ５とからなる。
【００１２】
本体３の幅は、箒１の穂５２を当該本体３で包むことができる程度必要であり、具体的には穂５２の幅の２倍以上３倍以下であるのが好ましい。本体３は可撓性の平面状の素材、例えばフェルト等の不織布、ポリプロピレン等のプラスチック、シリコン等により構成される。また、一つの素材で構成されるとは限らず、下半分がプラスチックで上半分が不織布であっても良い。なお、本体３の幅は、箒１の穂５２の幅の２倍以下であることを妨げない。この場合、箒１の穂５２を包んだ時に、本体３の右側部分と左側部分との間に隙間が生じることになるが、本体３の右側部分と左側部分との間をゴム等で連結して係止することで当該本体３を固定するようにしても良い（図示省略）。
【００１３】
本体３の下側縁３ａは略直線状となる。これは、箒１の穂５２を包んで固定したときに、下側付近が略円筒状にって床に自立できるようにするためである。また、箒１は、柄５１の付け根から穂５２の先までの寸法が前記本体３の高さよりも小さい。なお、上記の変形例のように、本体３で穂５２を包んだときにその右側部分と左側部分との間に隙間が生じる場合でも、下側付近が略Ｃ字形状となるので、箒立て２を床に自立させることは可能である（図示省略）。
【００１４】
図１１に示すように、モップ５は、帯状或いは短冊形状であり且つその長辺側の一方が開口した袋状となる。開口部８の内側端縁中央には面ファスナー９が対向して設けられている。また、モップ５の外側短辺側の端縁近傍にはそれぞれ面ファスナー１０が設けられている。一方、本体３の下部１１は幅が若干狭くなっており、その中央付近にはモップ５の開口部８に設けた面ファスナー９に対応する面ファスナー１２が設けられている。当該本体３のうち前記下部１１がモップ５に入り、その面ファスナー１２とモップ５の面ファスナー９が結合し、その結果、モップ５が本体３に取り付けられる。
【００１５】
モップ５の開口部８に本体３の下部１１が入り込むのでモップ５は本体３に対してしっかり固定される。モップ５は取り外して洗濯できる。モップ５には、所定太さの毛足の長いパイルが用いられ、その表面には必要により吸着剤、抗菌剤、防かび剤が配合されている。モップ５が短冊形状であり本体３の下部１１に取り付けるようにしたのは、本体３で箒１を包むようにして固定したとき、このモップ５も略円筒状になり、箒１ごと本体３を床に置いても自立するようにするためである。
【００１６】
本体３上部に一体成形された固定部６は、本体３の左右の幅方向に長尺形状のバンド１３となって全体的にＴ字状に突出しており、その左右端部近傍にホック１４が設けられる。この固定部６は、本体３と連続してＴ形状に一体に成形されているが、面ファスナー等を本体３の幅方向に取り付けて、当該面ファスナーを箒１の柄５１に巻きつけるようにしても良い（図示省略）。また、箒１の柄５１と穂５２との間のカバー部分５３に専用のホックを設け、このホックと対になるホックを本体３の固定部６に設けても良い（図示省略）。
【００１７】
次に、この掃除具１００の使用方法について説明する。本体３の下部１１にモップ５を取り付け、箒１の柄５１の付け根に固定部６のバンド１３を巻き付けて箒１に対して箒立て２を固定する。続いて、箒１の穂５２を本体３で包み、本体３の左右両側端縁に設けた面ファスナー７により当該本体３の左右両側端縁の重なった部分同士を止める。この状態で図２及び図３に示すように箒１の穂５２が本体３に包まれて内部に収納され且つ下側にモップ５が略環状に出た状態になる。モップ５の最下端は略直線状であるため、その最下端が環状となる結果、当該箒立て２が自立可能となる。なお、この掃除具１００は自立できる点に特徴があるが、完全安定な自立を必ずしも目的としない。ある程度の自立性を備えていれば、箪笥と壁の隙間等に置いた場合でも、きれい且つすっきりと置くことができるからである。以上から、この掃除具１００によれば簡単な構造で箒１を収納でき、収納時の床面積も小さくできる。
【００１８】
また、箒１は、柄５１の付け根から穂５２の先までの寸法が前記本体３の高さよりも小さいので、柄５１の付け根を固定部６により固定し且つ本体３で箒１の穂５２を包んだとき、箒１の穂５２が本体３内に完全に収納されて外に飛び出ない。これにより、箒立て２の自立を阻害せず、当該穂５２にクセがつくのを防止できる。なお、本体３を外す場合には、取手部４をつまんで面ファスナー７を引き剥がす。
【００１９】
前記本体３をフェルト等の不織布で構成した場合には全体としてソフトな感じに仕上がり、自在に変形するので扱いやすい。また、汚れた場合には洗濯できる。また、図２０及び図２１に示すように、箒１を本体３に収納した状態で通常の柄５１付きのモップ５として用いることができる。更に、本体３が箒１の穂５２を包んでおり、内部に空間が生じているので、モップ５に吸着しなった埃は当該内部空間で捕捉できる。モップ５も本体３から取り外すことで独立して洗濯できる。
【００２０】
また、箒立て２は、上記モップ５を取り外した状態での使用も可能である。この場合、本体３下部が略円筒状になり、これにより自立時の安定性がより向上することになる。
【００２１】
（実施の形態２）
図２２は、この発明の実施の形態２にかかる掃除具１００を示す説明図である。図２３は、図２２に示した掃除具１００の使用状態を示す正面図である。図２４は、図２２に示した掃除具１００の使用状態を示す背面図である。図２５は、図２２に示した掃除具１００の使用状態を示す側面図である。図２６は、図２２に示した掃除具１００の使用状態を示す説明図である。この掃除具２００では、上記モップ５を省略し、本体３の左右縦方向に谷折れ線２０１を設ける。そして、本体３の左右両側端縁近傍にマグネット２０２を設ける。その他の構造は上記実施の形態１と同じであるからその説明を省略し同じ構成要素には同じ符号を付する。
【００２２】
この箒立て２０３では箒１の穂５２を包む際、谷折れ線２０１に沿って折り曲げ、左右両側端縁が重なった際にマグネット２０２同士を吸着させる。これにより、図２３〜図２４に示すように、箒１が箒立て２に収納され且つ当該箒１を自立させることができる。特に、谷折れ線２０１をもって本体３を折り曲げるため、箒立て２０３で箒１を包んだ際の最下端の形状が略フットボール形状となる。このため、箒１を収納した際に全体の厚さが小さくなるから収納に便利である。
【００２３】
また、図２６に示すように、モップ５を省略し且つ両側に谷折れ線２０１を設けることで、本体３の下部が床面に対して線接触し易くなり且つ本体３の両側に壁が形成されるので、塵取りとして使用できるようになる。
【符号の説明】
【００２４】
１００  掃除具
１  箒
２  箒立て
３  本体
５  モップ
６  固定部
７，９  面ファスナー
【図１】
2011250907.tif 000003
【図２】
2011250907.tif 000004
【図３】
2011250907.tif 000005
【図４】
2011250907.tif 000006
【図５】
2011250907.tif 000007
【図６】
2011250907.tif 000008
【図７】
2011250907.tif 000009
【図８】
2011250907.tif 000010
【図９】
2011250907.tif 000011
【図１０】
2011250907.tif 000012
【図１１】
2011250907.tif 000013
【図１２】
2011250907.tif 000014
【図１３】
2011250907.tif 000015
【図１４】
2011250907.tif 000016
【図１５】
2011250907.tif 000017
【図１６】
2011250907.tif 000018
【図１７】
2011250907.tif 000019
【図１８】
2011250907.tif 000020
【図１９】
2011250907.tif 000021
【図２０】
2011250907.tif 000022
【図２１】
2011250907.tif 000023
【図２２】
2011250907.tif 000024
【図２３】
2011250907.tif 000025
【図２４】
2011250907.tif 000026
【図２５】
2011250907.tif 000027
【図２６】
2011250907.tif 000028